Podtech/llm-jp-corpus-v4-ja_patent huggingface dataset:
(57)【要約】      （修正有）【課題】本考案は丸パイプのやぐらの任意の場所へ取り付けを可能にし、感電、漏電の危険から回避する防滴ケースで、作業者の安全を確保する装置を提供する。【解決手段】本考案はケース本体３の内部に電源供給端子７と電源出力コンセント８が複数構成されている。そのケースの底面側に防滴を目的としたカバー６を有しておりそのカバー６には、各々のケーブルの通し孔９−１、９−２、９−３が設けられている。そのケース本体３と一体的の構成された固定部にてパイプの任意の場所へ取り付けられるものである。【選択図】図３
0003218746.tif 000002
【実用新案登録請求の範囲】
【請求項１】
建築工事現場のやぐらに固定できる機能を有した固定部と防滴を有したケース本体、カバーの内部に電源中継端子部を配置し、固定部とケース本体を一体的に構成した装置
【考案の詳細な説明】
【技術分野】
【０００１】建築工事現場での電動作業工具及び照明等の電源供給に使用される。
【背景技術】
【０００２】従来は、図−１のようなコードリールタイプの電源中継器や市販のテーブルタップを使用していたが、野外での作業のため突然の降雨により漏電、感電の危険がある。また、コードリールタイプは、大きいサイズのため足場の面積を少なくし通行に支障をきたしている。また、設置場所も限られてしまう。
【先行技術文献】
【特許文献】
【０００３】
【特許文献１】
【特許文献２】
【非特許文献】
【０００４】
【非特許文献１】
【考案の概要】
【考案が解決しようとする課題】
【０００５】背景技術で述べた突然の降雨などによる、漏電、感電の危険に対し、電源中継器を防水のカバーシートなどで覆って回避してきた。
また、電源中継器が足場のスペースを少なくするため、通行に危険を及ぼす可能性がある。前述の欠点を解決するものである。
【課題を解決するための手段】
【０００６】本考案は、防滴カバーの内部に電源中継端子部有し、且つ、足場のパイプへ取り付ける機能を有した固定部を一体的に構成した装置にすることで問題点を解決している。
【考案の効果】
【０００７】本考案により、場所を取らなく任意の場所への取り付けが可能となり、多くの電動工具及び照明器具が使用できる。且つ、防滴構造を有していることから突然の降雨時にも感電、漏電の危険から回避できる。
電源ケーブルの電流容量の範囲でこの装置を連結出来、やぐらの任意の場所へ設置でき、作業範囲を広くできる。
【図面の簡単な説明】
【０００８】
【図１】従来技術のコードリール
【図２】本考案の装置をパイプへ取り付けた状態図
【図３】本考案の下側からの視図
【考案を実施するための形態】
【０００９】建築現場のやぐら組立てに使用される丸パイプの任意の位置に装着できる固定部と電源中継部を一体的に構成する。
固定部には、強固に固定できるように、摩擦抵抗があるゴム系樹脂を丸パイプとの接触部に有している。電源中継部は、外装を非導電材料を使用し，防滴目的のカバーを有しコンセント部に水滴がいかないように施している。この装置間をケーブルにて連結することにより作業範囲を広くすることができる。
【実施例】
【００１０】図−２、３に従って一実施例を説明する。
ケース本体３の内部に電源供給端子７と電源出力コンセント８が複数構成されている。そのケースの底面側に防滴を目的としたカバー６を有しておりそのカバー６には、各々のケーブルの通し孔９が設けられている。
そのケース本体３と一体的の構成された固定部２にてパイプ１の任意の場所へ取り付けられるものである。
【産業上の利用可能性】
【００１１】
【符号の説明】
【００１２】１  やぐらの丸パイプ
２  固定部
３  ケース本体
４  電源供給コード
５  使用する電動工具のプラグ
６  カバー
７  電源供給端子
８  電源出力コンセント
９−１  電源供給コード通し穴
９−２  電動工具のケーブル通し穴１
0003218746.tif 000003
【図１】
0003218746.tif 000004
【図２】
0003218746.tif 000005
【図３】
0003218746.tif 000006
(57)【要約】【課題】高付加価値が付与されたレインコートを提供することを目的とする。【解決手段】レインコートであって、前身頃および後身頃とからなる身頃部と、身頃部に連結された袖部と、後身頃の襟部から後身頃の中央領域にかけて設けられた背中部と、袖部と身頃部とが連結した肩部と、袖部の途中に位置する肘部とのうち少なくとも一箇所に設けられた蛇腹部と、を備える。前身頃の胸部および後身頃の背中部に設けられた通気口を、さらに備えることが好ましい。後身頃の背中部に設けられた光反射部を、さらに備えることが好ましい。【選択図】図１
0003218792.tif 000002
【実用新案登録請求の範囲】
【請求項１】
前身頃および後身頃とからなる身頃部と、
前記身頃部の肩部に連結された袖部と、
前記後身頃の襟部から前記後身頃の中央領域にかけて設けられた背中部と前記肩部と前記袖部の途中に位置する肘部とのうち少なくとも一箇所に設けられた蛇腹部と、
を備えるレインコート。
【請求項２】
前記前身頃の胸部および前記後身頃の前記背中部に設けられた通気口を、さらに備える請求項１に記載のレインコート。
【請求項３】
前記後身頃の前記背中部に設けられた光反射部を、さらに備える請求項１または２に記載のレインコート。
【考案の詳細な説明】
【技術分野】
【０００１】
この考案は、レインコートに関する。
【背景技術】
【０００２】
近年、雨の日ばかりではなく、レジャー、スポーツ観戦、登山などにおいても軟質ビニール製のレインコートが使用されている。この種の軟質ビニールレインコートは、屋外作業、通勤、通学などの際にも着用されている。軟質ビニールレインコートの素材開発が進むことで、郊外へのツーリングの際にも用いられるなどレインコートの用途が多様化されており、レインコートが四季を通して着用されるようになっている。
【考案の概要】
【考案が解決しようとする課題】
【０００３】
上記のような使用環境の多様化および用途の拡張に応える観点から、更なる高付加価値を持たせたレインコートが期待されている。
【０００４】
この考案は、上述のような課題を解決するためになされたもので、高付加価値が付与されたレインコートを提供することを目的とする。
【課題を解決するための手段】
【０００５】
この考案は、上記の目的を達成するため、レインコートであって、前身頃および後身頃とからなる身頃部と、前記身頃部の肩部に連結された袖部と、前記後身頃の襟部から前記後身頃の中央領域にかけて設けられた背中部と前記肩部と前記袖部の途中に位置する肘部とのうち少なくとも一箇所に設けられた蛇腹部と、を備える。
【考案の効果】
【０００６】
この考案によれば、肩、腕、および背中の少なくとも一箇所に蛇腹を用いたので、屋外作業などの際における身体動作を円滑に行うことができるという高付加価値が付与されたレインコートが提供される。
【図面の簡単な説明】
【０００７】
【図１】本考案の実施形態に係るレインコートを前面から観た外観図である。
【図２】本考案の実施形態に係るレインコートを背面から観た外観図である。
【考案を実施するための形態】
【０００８】
図１は、本考案の実施形態に係るレインコート１０を前面から観た外観図である。図２は、レインコート１０を背面から観た外観図である。
【０００９】
軟質ビニール製のレインコート１０は、最新マテリアルとテクノロジーとの結合により、究極の雨具と言われるほどに高い安全性を有している。
【００１０】
レインコート１０は、身頃部１と、袖部２と、を備える。身頃部１は、前身頃１ａおよび後身頃１ｂとからなる。身頃部１によって、着衣者の胴体が包み込まれる。前身頃１ａの中央には着脱用に複数のボタンが設けられている。
【００１１】
身頃部１の両肩の部位には、袖部２が連結されている。袖部２は長袖である。
【００１２】
身頃部１の上方には襟部１１が設けられている。襟部１１には、着衣者の頭部を覆うためのフードが、ボタン等で取り外し可能な形態で設けられていてもよい。
【００１３】
レインコート１０は、着衣者の身体動作をスムースにするための複数の蛇腹部を備えている。袖部２と身頃部１とが連結した肩部には、肩蛇腹部３が設けられている。袖部２の途中に位置する肘部には、肘当蛇腹部４が設けられている。後身頃１ｂの襟部から後身頃１ｂの中央領域にかけて、背中蛇腹部６が設けられている。
【００１４】
実施の形態にかかるレインコート１０では肩、腕、および背中の少なくとも一箇所に蛇腹が用いられている。その結果、レインコート１０の着衣者が、屋外作業などの際にその身体動作を円滑に行うことができる。つまり、機能性が重視され、関節部に蛇腹が多用されることでスムースな作動性が提供されている。
【００１５】
レインコート１０が、通気口５ａ、５ｂをさらに備えてもよい。通気口５ａは前身頃１ａの胸部に設けられており、通気口５ｂは後身頃１ｂの背中部に設けられている。
【００１６】
通気口５ａ、５ｂにより通気性が高められるので、夏季の蒸し暑さ等を解消することもできる。通気口５ａ、５ｂは、ある程度の広がり（幅）を持つスリットであってもよいし、複数の小孔を並べて配置するものであってもよい。
【００１７】
雨季の蒸し暑さを解消する等の観点から、前面の通気口５ａから取り入れた空気を背面の通気口５ｂから逃がすような設計がなされている。図１および図２に示す矢印は通気の様子を模式的に表したものである。
【００１８】
レインコート１０が、光反射部１２をさらに備えてもよい。光反射部１２は、後身頃１ｂの背中部に設けられている。光反射部１２を設けることで、後方から追突されることを防止することができる。すなわち、雨天の際の歩行者あるいは自転車に乗車する者に対して、高い安全性を提供することができる。
【００１９】
軟質ビニールの素材である樹脂は、熱可塑性樹脂に特殊改質剤が加えられたものであることが好ましい。このような樹脂による加工製品は再生可能で、無毒無臭であり、酸およびアルカリにも安定であるという利点がある。
【００２０】
レインコート１０の生地は熱可塑性樹脂であるポリオレフィン樹脂としてもよく、その生地の厚さは０．００１３ｍｍ〜０．０１ｍｍとしてもよい。これにより再生可能なエコ製品とすることができる。
【００２１】
なお、肩蛇腹部３、肘当蛇腹部４、および背中蛇腹部６の生地は、身頃部１および袖部２の生地と同じであってもよく、これらの部位の生地を全て上記説明した材料、例えばポリオレフィン樹脂等の熱可塑性樹脂としてもよい。
【００２２】
レインコート１０が軟質ビニール製とされることで、半袖で着用する場合の肌触りも改良されている。雨天時の歩行者および自転車等に乗車する者にとって、着やすさおよび快適性が高められている。
【符号の説明】
【００２３】
１  身頃部
１ａ  前身頃
１ｂ  後身頃
２  袖部
３  肩蛇腹部
４  肘当蛇腹部
５ａ  通気口
６  背中蛇腹部
１０  レインコート
１１  襟部
１２  光反射部
【図１】
0003218792.tif 000003
【図２】
0003218792.tif 000004
(57)【要約】【課題】自然環境が配慮された傘スタンドを提供することを目的とする。【解決手段】傘スタンド１は、脚部３と、脚部３に接続された支柱部２と、棒状引掛部４、５と、を備えている。複数の棒状引掛部４、５は、支柱部２における脚部３の上方に設けられ、支柱部２の半径方向にそれぞれ突出している。脚部３、支柱部２、および棒状引掛部４、５が圧縮木材で形成されている。複数の棒状引掛部４、５が、支柱部２の周方向に並べて設けられていることが好ましい。特に、実施の形態では、支柱部２の中央部２ｂに棒状引掛部４が設けられ、支柱部２の上端部２ｃに棒状引掛部５が設けられている。これにより上下二列で傘を陳列することができる。【選択図】図１
0003218794.tif 000002
【実用新案登録請求の範囲】
【請求項１】
脚部と、前記脚部に接続された支柱部と、前記支柱部における前記脚部の上方に設けられ、前記支柱部の直径方向に突出した引掛部と、を備え、
前記脚部、前記支柱部、および前記引掛部が圧縮木材で形成された傘スタンド。
【請求項２】
前記引掛部は、前記支柱部の中心軸周りに複数個並べられた棒状の部位である請求項１に記載の傘スタンド。
【請求項３】
前記脚部、前記支柱部、および前記引掛部が、合成樹脂で形成された部分を持たない請求項１または２に記載の傘スタンド。
【考案の詳細な説明】
【技術分野】
【０００１】
この考案は、傘スタンドに関する。
【背景技術】
【０００２】
昨今、地球温暖化の原因である二酸化炭素を削減することや、海洋汚染の原因であるプラスチックの廃棄を抑制することは、国際的にも緊急な課題として取り扱われている。特にプラスチック廃棄量の削減は将来的に国際的な協力を必要とされることが明白である。
【考案の概要】
【考案が解決しようとする課題】
【０００３】
今後開発される新商品には、自然環境を極力破壊しないように、再生可能素材を選択することが求められている。
【０００４】
この考案は、上述のような課題を解決するためになされたもので、自然環境が配慮された傘スタンドを提供することを目的とする。
【課題を解決するための手段】
【０００５】
この考案は、上記の目的を達成するため、傘スタンドであって、脚部と、前記脚部に接続された支柱部と、前記支柱部における前記脚部の上方に設けられ、前記支柱部の直径方向に突出した引掛部と、を備え、前記脚部、前記支柱部、および前記引掛部が圧縮木材で形成されたものである。
【考案の効果】
【０００６】
この考案によれば、材料として圧縮木材が選択されることで、自然環境が配慮された傘スタンドが提供される。
【図面の簡単な説明】
【０００７】
【図１】本考案の実施の形態にかかる傘スタンドの外観図である。
【考案を実施するための形態】
【０００８】
図１は、本考案の実施の形態にかかる傘スタンド１の外観図である。傘スタンド１とともに、商品として展示された傘８も図示されている。
【０００９】
図１に示すように、傘スタンド１は、複数の脚部３と、脚部３に接続された支柱部２と、複数の棒状引掛部４、５と、を備えている。具体的には、各々が棒状である五本の脚部３のそれぞれの一端が接続して星状の土台が構築されており、その星状の土台の中心に長尺円筒棒状の支柱部２の下方端部である根元部２ａが接続されている。
【００１０】
複数の棒状引掛部４、５は、支柱部２における脚部３の上方に設けられ、支柱部２の直径方向にそれぞれ突出している。脚部３、支柱部２、および棒状引掛部４、５が圧縮木材で形成されている。図１に示すように脚部３の底面には、キャスタが設けられても良い。
【００１１】
従来の傘スタンドの材料はプラスチック（合成樹脂）が安易に選択されることが多かったが、実施の形態にかかる傘スタンド１の材料にはプラスチック（合成樹脂）ではなく圧縮木材が選択されている。傘スタンド１において、脚部３、支柱部２および棒状引掛部４、５が合成樹脂および金属などで形成された部位を持たず、これらの部位が圧縮木材のみで形成されていることが好ましい。
【００１２】
図１に示すように、複数の棒状引掛部４、５が、支柱部２の中心軸周りに複数個並べられていることが好ましい。このとき棒状引掛部４、５が等間隔で並べられてもよい。特に、実施の形態では、支柱部２の中央部２ｂに棒状引掛部４が設けられ、支柱部２の上端部２ｃに棒状引掛部５が設けられている。これにより上下二列で傘を陳列することができる。
【００１３】
棒状引掛部４、５の先端にはそれぞれ球状部４ａ、５ａが設けられている。球状部４ａ、５ａが設けられることで、棒状引掛部４、５から傘８が落ちることが防止される。
【００１４】
大手の小売業を除いて、傘を展示するために用いられる傘スタンド１は多くの店舗で特別な機材が使われていないのが実情である。多くの商品を効率よく消費者に見せることができないという問題があった。この点、傘スタンド１は、複数の棒状引掛部４、５が設けられることで、傘８を効率よく陳列することができる。
【００１５】
以上説明したように、実施の形態にかかる傘スタンド１は、従来とは異なる発想に基づいて構築されたものであり、再生可能な材料が使用されており、且つ一度に多くの商品を展示することで顧客の利便性を向上させることができる。
【符号の説明】
【００１６】
１  傘スタンド
２  支柱部
２ａ  根元部
２ｂ  中央部
２ｃ  上端部
３  脚部
４、５  棒状引掛部
４ａ、５ａ  球状部
８  傘
【図１】
0003218794.tif 000003
(57)【要約】      （修正有）【課題】緊急時や移動時及び夜間でも簡単に活用できる組立てテントを提供する。【解決手段】プラスチック製多段階調節ポール１を操作してグラファイト（カーボン）シート２の中央及び外側に設置する。ビニールロープ３を調節して、プラスチック製ＬＥＤ内蔵ペグ４で固定する。有機薄膜フレキシブル太陽電池５及び防水電源コード６をグラファイト（カーボン）シート２の外側に接合シール７で装着する。電源ＳＷ８を操作して、有機薄膜フレキシブル太陽電池５及び電源９から供給した電力で本体１０に内蔵した有機ＥＬ照明１１を駆動して制御する。【選択図】図１
0003218730.tif 000002
【実用新案登録請求の範囲】
【請求項１】
有機薄膜フレキシブル太陽電池を設けた携帯型テント
【考案の詳細な説明】
【考案の詳細な説明】
【技術分野】
【０００１】組立て家屋分野
【背景技術】
【０００２】  従来、防炎加工をしたポリエステル生地やコットンの混紡生地を用いて、結露を軽減していたが、組立て家屋としての機能が低く、活用するのに制限があった。
【考案の開示】
【考案が解決しようとする課題】
【０００３】  本案は、その欠点を除いて、しかも機能を活かしたテントを開発しようとするものである。
【課題を解決するための手段】
【０００４】  いま  その解決手段を図面を追いながら説明すれば
（イ）プラスチック製多段階調節ポール（１）を操作して、グラファイト（カーボン）シート（２）の中央及び外側に設置する。
ビニールロープ（３）を調節して、プラスチック製ＬＥＤ（Ｌｉｇｈｔ  Ｅｍｉｔｔｉｎｇ  Ｄｉｏｄｅ）内蔵ペグ（４）で固定する。
（ロ）有機薄膜フレキシブル太陽電池（５）及び防水電源コード（６）をグラファイト（カーボン）シート（２）の外側に接合シール（７）で装着する。
（ハ）電源ＳＷ（８）を操作して、有機薄膜フレキシブル太陽電池（５）及び電源（９）から供給した電力で本体（１０）に内蔵した有機ＥＬ（Ｅｌｅｃｔｒｏ  Ｌｕｍｉｎｅｓｃｅｎｃｅ）照明（１１）を駆動して制御する。
【考案の効果】
【０００５】  本案は、以上のような構造であるから、これを使用する事により、緊急時や移動時及び夜間でも簡単に活用できる組立てテントである。
【考案を実施するための最良の形態】
【実施例】
【０００６】  なお、本案の実施にあたって次の如きことができる。
（イ）有機薄膜フレキシブル太陽電池（５）の廃熱をグラファイト（カーボン）シート（２）を通してテント内に素早く伝導し、暖房する事ができる。
【図面の簡単な説明】
【０００７】
【図１】  本考案のテントの正面図
【符号の説明】
【０００８】（１）プラスチック製多段階調節ポール  （２）グラファイト（カーボン）シート  （３）ビニールロープ  （４）プラスチック製ＬＥＤ内蔵ペグ  （５）有機薄膜フレキシブル太陽電池  （６）防水電源コード  （７）接合シール  （８）電源ＳＷ  （９）電源  （１０）本体  （１１）有機ＥＬ照明
【図１】
0003218730.tif 000003
【手続補正書】
【提出日】平成30年6月16日(2018.6.16)
【手続補正１】
【補正対象書類名】実用新案登録請求の範囲
【補正対象項目名】全文
【補正方法】変更
【補正の内容】
【実用新案登録請求の範囲】
【請求項１】
有機薄膜フレキシブル太陽電池を設けた多層のグラファイト（カーボン）シートを有する携帯型テント
【手続補正書】
【提出日】平成30年8月17日(2018.8.17)
【手続補正１】
【補正対象書類名】実用新案登録請求の範囲
【補正対象項目名】全文
【補正方法】変更
【補正の内容】
【実用新案登録請求の範囲】
【請求項１】
グラファイト（カーボン）シートを含んで構成される携帯型テントであって、有機薄膜フレキシブル太陽電池が前記グラファイト（カーボン）シートの外側に接合シールで装着されることを特徴とする携帯型テント
(57)【要約】      （修正有）【課題】約1５分間まんべんなく回転させる、石膏の厚さが２ｍｍ〜５ｍｍの均一な中空の球を作成する、石膏中空球作成機を提供する。【解決手段】１秒間に約１回水平に回転する台１１及び水平回転子１０の上で、２分割した垂直に回転する回転子３の中に石膏液の入った風船４を入れて水平回転子１０にセットし、自動的に１秒間に１回、垂直及び水平方向に、まんべんなく回転させるようにすることにより、石膏の中空球を作成する。【選択図】図１
0003218830.tif 000002
【実用新案登録請求の範囲】
【請求項１】
水平に回転する台の上に、垂直に回転する回転子の中に石膏液の入った１８〜２０ｃｍの風船をセットし、その風船を、水平及び垂直にまんべんなくジャイロ的に１０〜１５分間運動させ、遠心力を生かし石膏の厚さが２〜５ｍｍの均一な中空の球を作ることを特徴とする石膏中空球作成機。
【考案の詳細な説明】
【技術分野】
【０００１】
本考案は、石膏
の中空球作成機に関するものである。
【背景技術】
【０００２】
従来は風船に石膏液を入れて中の石膏液が固まるまで約１５分間、手でまんべんなく回して厚さが約２〜３mm均一の中空の石膏球を作成していた。
従来は風船に石膏液を入れて中の石膏液が固まるまで１０〜１５分間、手でまんべんなく回して厚さが２〜３mm均一の中空の石膏球を作成していた。
しかし、石膏液の重さを支えて１０〜1５分間まんべんなく回転させるのは技術が必要であり、経験が必要であることがあり、特に子供が作ろうとする時は、重さを支えること、１０〜1５分間まんべんなくまわし続けることが難しく成功率は５％ほどであった。
【考案の概要】
【考案が解決しようとする課題】
【０００３】
成功率の高い石膏の厚さが２ｍｍ〜５ｍｍの均一な中空の球を作成する方法を提供する。
【課題を解決するための手段】
【０００４】
本考案は石膏液の入った１８〜２０cmの風船を水平及び垂直にまんべんなくジャイロ的に１０〜１５分間運動させる動作を、機械で行うものであり、厚さが２〜３mm均一の石膏の中空球がほぼ１００％作成できる。
【考案の効果】
【０００５】
上述の方法でやると大人、子供の関係なく厚さが２〜３mm均一の石膏の中空球が、ほぼ１００％が成功するようになった。
【０００６】
またこの石膏の中空球が手軽にできるようになり、中にダイオードを入れランプにする、絵を描いて置物する等いろいろ加工が出来るようになる。
【図面の簡単な説明】
【０００７】
【図１】図１は中空球の作成機の構造を示した説明図である。
【図２】図２は中空球の作成機の実施方法を示した説明図である。
【図３】図３は中空球の作成機の実施方法を示した説明図である。
【図４】図４は中空球の作成機の実施方法を示した説明図である。
【図５】図５は中空球の作成機の実施方法を示した説明図である。
【考案を実施するための形態】
【０００８】
材料は９インチ風船、牛乳パックＨ２０ｃｍ２個、Ａ級石膏３００ｇ、割りばし１膳、
水２００ｃｃ、鋏、輪ゴム、紐約５ｍ、カッターナイフ、中空球作成機である。
制作の手順は図１から図５に示す。
【０００９】
図１は中空球作成機の構造を示す。
【００１０】
１秒間に約１回水平に回転する台１１及び水平回転し１０の上で、２分割した垂直に回転する回転子３の中に石膏液の入った風船４を入れて１０の水平回転子にセットし、自動的に１秒間に１回、垂直及び水平２方向に、まんべんなく回転させるようにすることにより、石膏の中空球を作成する迄を示す。
【実施例１】
【００１１】
以下添付図２〜５に従い実施例を説明する。
図２は、２０の２００ccの水の入った牛乳パックに、１８の約３００ｇ石膏の入った牛乳パックの中の石膏を入れ１９の割り箸で良くかき混ぜ石膏液約３００ｃｃを作成する。（この時水と石膏の割合は２：３を目安とする。）
その後２１の牛乳パックに入った石膏液を２２の２リットルのペットボトルに石膏液を
入れる迄を示す。
【００１２】
図３は２２の１８〜２０ｃｍに膨らませた風船を２３の石膏液の入ったペットボトルの口に被せる。次に風船と石膏液の入ったペットボトルの上下を入れ替え、２４のペットボト
ルの中の石膏液を２５の１８〜２０ｃｍの風船に移す。そして２４の口を縛る迄を示す。
【００１３】
図４は２７で示すように口を縛ってある２９の石膏液の入った風船を、２８及び３０の左
右に２分割された垂直回転子に入れて、３１のつなぎ目を紐等で２箇所固定し、３２の
石膏液の入った垂直回転子を３２の水平回転子に載せてセットし、水平回転子及び垂直回転子のスイッチを入れ約1５分間回す。次に回転子の中の石膏の入った風船を取りだす迄を示す。
【００１４】
図５は石膏液の入った風船の石膏がある程度固まったら完全に固まるまで、３４の紐を使い３５の袋に入れ約３０分間ぶら下げておく。（固定化する）。次に３６のように結び口を下にして、３７のカッターまたは鋏を使い、石膏を割らないように外の風船を取り去る迄を示す。
これで中空の石膏球が出来上がる。
【符号の説明】
【００１５】
１…垂直回転子２分割部分の枠
２８…垂直回転子を２分割するつなぎ目
３…垂直回転子
４…石膏液の入った風船
５…垂直回転子のピニオン
６…垂直回転子のモーター
７…垂直回転子のプーリー
８…垂直回転子の電池箱
９…垂直回転子の軸
１０…水平回転子
１１…水平回転子の台
１２…水平回転子の軸
１３…水平回転子のプーリー
１４…水平回転子の電池箱
１５…水平回転子の軸
１６…モーター
１７…プーリー
１８…石膏を入れた牛乳パック
１９…割りばし
２０…水を入れた牛乳パック
２１…石膏液の入った牛乳パック
２２…石膏液の入ったペットボトル
２３…膨らませた風船
２４…石膏液の入ったペットボトル
２５…空になったペットボトル
２６…石膏液
２７…石膏液の入った風船の結び目
２８…垂直回転子左側
２９…石膏液の入った風船
３０…垂直回転子右側
３１…垂直回転子接合部分
３２…垂直回転子
３３…水平回転子及び台
３４…紐
３５…ビニル袋に入った石膏液が有る程度固まった風船
３６…固まった石膏の入った風船
３７…カッター
【図１】
0003218830.tif 000003
【図２】
0003218830.tif 000004
【図３】
0003218830.tif 000005
【図４】
0003218830.tif 000006
【図５】
0003218830.tif 000007
(57)【要約】      （修正有）【課題】高齢者または体力のない人、健常者すべての人に対して、誰でも安心してスクワット運動を実施可能な人にやさしいスクワット運動器具を提供する。【解決手段】椅子のカウンターチェアを基本とした構造で、一本の棒のような形を作り、倒れないしっかりとした土台１０の上に支柱８を設けその上に体力に合わせ、それぞれ人によって伸縮が強弱の在るバネ６を取り付け、バネの外側に円筒カバー５を付け円筒カバーの上部に座板１を設け、体力に合わせたスクワット運動が出来るようにした。【選択図】図４
0003218880.tif 000002
【実用新案登録請求の範囲】
【請求項１】
底面が水平な土台（１０）の上部に設置され、前記土台と支柱の設置部と反対の支柱端に、前記支柱径より小さな径を有するバネ止めを有する支柱と、前記バネ止め（７）より大きな径のバネ（６）を前記バネ止めに挿入し、前記バネ（６）及び支柱（８）を覆うように円筒状の円筒カバー（５）を設け、円筒カバーの前記支柱側と反対側反対端に座板（１）を設けたことを特徴とするスクワット器具である。
【考案の詳細な説明】
【技術分野】
【０００１】  本考案は、スクワット器具に関する。
【背景技術】
【０００２】  従来、この種のスクワット器具は特許文献１に示すように複数の壁面を利用し、壁面と複数の足踏み板やスクワット用分度器を設ける構造になっていた。
【先行技術文献】
【０００３】
【特許文献１】特開２０１２−０９５９９６号公報
【考案の概要】
【考案が解決しようとする課題】
【０００４】  従来のスクワット器具は壁面に設置された足踏み板などを利用しなければならないので、高齢者または体力のない人がスクワット運動を行う場合には、体幹の筋力不足により、同一の既存の運動器具では無理があり、利用が困難な場合があるという欠点があった。また構造が複雑で設置に広いスペースを必要とする欠点もあった。このような現状に鑑み、高齢者、健常者を問わず、誰もが安心してスクワット運動を実施可能で、省スペースのスクワット器具の開発を求め、欠点を除くために成されたものである。
【課題を解決するための手段】
【０００５】  本考案は上記の目的を達成するために、底面が水平な土台（１０）の上部に設置され、前記土台と支柱の設置部と反対の支柱端に、前記支柱径より小さな径を有するバネ止めを有する支柱と、前記バネ止め（７）より大きな径のバネ（６）を前記バネ止めに挿入し、前記バネ（６）及び支柱（８）を覆うように円筒状の円筒カバー（５）を設け、円筒カバーの前記支柱側と反対側反対端に座板（１）を設けたことを特徴とするスクワット器具である。
【考案の効果】
【０００６】  請求項１記載の考案は、スクワット器具であって、座板（１）に人が乗るとバネ（６）により円筒カバー（５）が上下に伸縮する。また、バネ（６）の強弱によって高齢者または体力がない人にはやや弱いバネ（６）を取付け、体力のある人には、強いバネ（６）を取付けることにより、それぞれ無理のない筋力が得られ、それぞれの人にやさしいスクワットが得られ、従来健常者向け一辺倒であったスクワット器具が、バネ（６）の強弱によって誰にも無理なくこのスクワットを提供することができ、コンパクトで省スペースに設置できる。
【図面の簡単な説明】
【０００７】
【図１】本考案の正面図である。
【図２】本考案の上部から見た斜視図である。
【図３】本考案の下部から見た斜視図である。
【図４】本考案スクワット器具を解体した図面。
【図５】本考案スクワット器具に使用者が座板に腰掛けた状態の図面。
【考案を実施するための形態】
【０００８】  本考案を実施するための形態について以下、図面を用いて説明する。
図１は、本考案実施例のスクワット器具の正面図。
図２は、本考案実施例のスクワット器具の上部から見た斜視図。
図３は、本考案実施例のスクワット器具の下部から見た斜視図。
図４は、本考案実施例のスクワット器具の解体図。
図５は、本考案実施例のスクワット器具に使用者が座板に腰かけた状態の図面である。
本考案のスクワット器具は、スクワット運動用の運動器具では、使用者の上体を支持する手段を有するとともに、十分ではない脚力を補うための上下方向に揺動可能とした座板を設けているものである。
【実施例】
【０００９】  具体的には、図４に示すように、椅子の基本は倒れない土台（１０）が必要であり、この土台（１０）にバネ止め（７）の付いた支柱（８）を土台（１０）の中央の円の中に差し込み、土台（１０）の下部に土台止め（１１）をネジ（１２）で支柱（８）をしっかり止め、さらに支柱止め（９）を取付けることにより、土台（１０）の強度がさらに強くなる。支柱（８）の上部に取付けられているバネ止め（７）の上部に、高齢者、体力がない人にはこのバネ（６）は、強力な弾力性を持つ物でなく、やや弱い弾力性のあるものにし、健常者又はスポーツ関係者には、強力なバネ（６）を取付けることにより、それぞれの人の筋力に合わせ使用できる。
円筒カバー（５）の直径は、支柱（８）がすっぽり収まる大きさにし、円筒カバー（５）の上部は円の穴が開いた座板止め（３）の中に差し込み、さらにバネ止め（２）の付いた座板（１）を差し込み、ネジ（４）によって円筒カバー（５）を上部座板（１）にきっちりと取付ける。
本実施例では、ネジ（４）と座板止め（３）を用い、座板（１）と円筒カバー（５）を接続した例を示しているが、他の方法で座板（１）と円筒カバーを接続してもよい。
以上が本考案に係るスクワット器具の構成の説明である。【００１０】  本考案に係るスクワット器具は、座板（１）、円筒カバー（５）、中にバネ（６）、支柱（８）、土台（１０）から構成される。
【実施例１】  以下、図面に従って実施例を説明する。まず、図４の解体した図面を見ると、土台（１０）の中央は円になっており、この土台（１０）の円に支柱（８）を差し、支柱止め（９）をきっちり取付け、円筒カバー（５）の中にバネ（６）を入れ、上に座板（１）を取付けることにより、一見カウンターチェア風に見え、各部分がそれぞれ強いため、座板（１）に腰を降ろしても土台（１０）が揺らぐおそれがない。バネ（６）の強弱によって高齢者、健常者を問わず、誰もが無理なく安心して運動が出来る運動器具である。運動をしない時には、バネ（６）が弱い物であれば椅子感覚で座ることができ、本考案の大きな特徴といえる。
【考案の効果】
このようにスクワット器具は、いままでになかったスクワット用運動器具である。
カウンターチェアを基本としているため、使用しない時には椅子として利用でき、テレビを見ながら立ち上がれば足、腰の運動が出来、また疲れれば椅子として座り休憩することができる。部屋の中では、椅子として利用できるので全く邪魔にならない。
【符号の説明】
【０００９】  １  座板
２  バネ止め
３  座板止め
４  ネジ
５  円筒カバー
６  バネ
７  バネ止め
８  支柱
９  支柱止め
１０  土台
１１  土台止め
１２  ネジ
【図１】
0003218880.tif 000003
【図２】
0003218880.tif 000004
【図３】
0003218880.tif 000005
【図４】
0003218880.tif 000006
【図５】
0003218880.tif 000007
(57)【要約】      （修正有）【課題】ハンガーの開閉が出来て洗濯の干し入れができる開閉式ハンガーを提供する。【解決手段】ハンガーの頭部に竿掛け部３を設け、竿掛け部３の上に、三角形状に両肩部を回転軸２，２で接続したハンガー本体１Ａ，１Ｂを設け、回転軸２，２と軸止め９で両竿４．１，４．２をＸ型にし、ハンガー本体１Ａ，１Ｂを操作して両竿４．１,４．２を開いたり閉じたりし、両竿４．１,４．２が開いたときに自動ロックがかかり、洗濯物を外すときと取り込みときはロック５Ａを押すだけで洗濯物が落ちることを特徴とする。【選択図】図１
0003218851.tif 000002
【実用新案登録請求の範囲】
【請求項１】
ハンガーの東部に竿掛け部を設け１４のレバーを引き、１０で竿を閉じる、その下に三角形を作り３個の軸で回転させ４．１、４．２をＸ型にして三角形の１Ａ、１Ｂで操作させて竿を開いたり閉じたりし、開いたときに自動ロックがかかり洗濯物を外すことと、取り込むときは５Ａを押すだけで洗濯物が落ちることで洗濯物を素早く干したり取り入れたりが簡単に取り入れるときも袖が引っかかることなくワンタッチで取り入れが出来る開閉式ハンガー。  
【考案の詳細な説明】
【技術分野】
【０００１】
本考案は、ハンガーの開閉が出来て洗濯の干し入れができる開閉式ハンガーである。
【背景技術】
【０００２】
洗濯物を干したり取り入れるとき、ハンガーの滑り止めのところにひっかかたりすることあり、両袖を手ではずすこともあり素早く取り入れができない取り入れに時間がかかる。
【考案の概要】
【考案が解決しようとする課題】
【０００３】
従来のハンガーに洗濯物を通すとき片手づつ通していた。開閉式ハンガーは両袖を一度に襟元から入れて広げれば、早く干せるよう欠点を解決しようとするものである。
【課題を解決するための手段】
【０００４】
本考案は、洗濯物を素早く干したり取り入れたりが簡単で、取り入れ時でも袖が引っかかることもなくワンタッチで取り入れができる。干すときは番号１ａｂを握り４をたたんで首元に入れて握りを戻すと４の両端が袖にかかり５のストッパーで止まる。
【考案の効果】
【０００５】
以上のように、本考案のワンタッチで取り入れが出来、干すのも一度で両方をささえる、また洗濯以外にクローゼットにも使える。
【図面の簡単な説明】
【０００６】
【図１】図１は、本考案の開閉式ハンガーの正面図である。
【図２】図２は、洗濯物の滑り止めを表した図である。
【図３】図３は、竿の断面図強度を強調したものである。
【図４】図４は、全体を単線で描いたものである。
【図５】図５は、全体を上から見た図。左はロック穴を表したもの。
【図６】図６において、Ａロックをかけた図、Ｂロックを外した穴の位置。
【考案を実施するための形態】
【０００７】
ハンガーの１を握りＸ型にしてから襟元から入れて握りを離すと洗濯物の肩を広げて自動的にロックがかかり、干すことができる。取り入れは５ａのロックを押すと洗濯物は手元に落ちる。
【産業上の利用可能性】
【０００８】
開閉式ハンガーは両袖を一度に襟元から入れて広げれば、早く干すことができる。
【符号の説明】
【０００９】
１    ハンガー本体
２    回転軸
３    物干しに竿がかかるところ
４    ４１、４２の両竿
５    ロック
６    竿の強度を保つ図３を参照
７    バネ
８    ハンガー本体の握りのすべ止め
９    竿のたすき方の軸止め
１０  竿を閉じるレバー１４で操作
１１  ロック棒の滑り溝図５と６を参照
１２  ロックの心棒
１３  スプリング
１４  １０を動かすレバー
１５  １０を動かす軸
１６  たすきになるところのすかし０、２
１７  ロックの穴
【図１】
0003218851.tif 000003
【図２】
0003218851.tif 000004
【図３】
0003218851.tif 000005
【図４】
0003218851.tif 000006
【図５】
0003218851.tif 000007
【図６】
0003218851.tif 000008
【手続補正書】
【提出日】平成30年3月14日(2018.3.14)
【手続補正１】
【補正対象書類名】実用新案登録請求の範囲
【補正対象項目名】全文
【補正方法】変更
【補正の内容】
【実用新案登録請求の範囲】
【請求項１】
ハンガーの頭部に竿掛け部（３）を設け、この竿掛け部（３）の下に三角形を作り、回転軸（２,２）と軸止め（９）で両竿（４．１,４．２）をＸ型にし、ハンガー本体（１Ａ，１Ｂ）を操作して前記両竿（４．１,４．２）を開いたり閉じたりし、前記両竿（４．１,４．２）が開いたときに自動ロックがかかり、洗濯物を外すときと取り込みときはロック（５Ａ）を押すだけで前記洗濯物が落ちることを特徴とする開閉式ハンガー。        
【手続補正書】
【提出日】平成30年6月12日(2018.6.12)
【手続補正１】
【補正対象書類名】実用新案登録請求の範囲
【補正対象項目名】全文
【補正方法】変更
【補正の内容】
【実用新案登録請求の範囲】
【請求項１】
ハンガーの頭部に竿掛け部（３）を設け、前記竿掛け部（３）の上に、三角形状に両肩部を回転軸（２,２）で接続したハンガー本体（１Ａ，１Ｂ）を設け、前記回転軸（２，２）と軸止め（９）で両竿（４．１,４．２）をＸ型にし、前記ハンガー本体（１Ａ，１Ｂ）を操作して前記両竿（４．１,４．２）を開いたり閉じたりし、前記両竿（４．１,４．２）が開いたときに自動ロックがかかり、洗濯物を外すときと取り込みときはロック（５Ａ）を押すだけで前記洗濯物が落ちることを特徴とする開閉式ハンガー。 
【手続補正２】
【補正対象書類名】図面
【補正対象項目名】図６
【補正方法】変更
【補正の内容】
【図６】
0003218851.tif 000009
(57)【要約】      （修正有）【課題】プローブと小動物表面との距離と角度を一定に保ち、且つ、測定箇所を正確に特定できる、小動物表面の反射測定に用いるプローブ補助器具を提供する。【解決手段】円柱状で一方の先端に、プローブ挿入口４が設けられており、その挿入口４はもう一方の先端と挿入されたプローブの先端が２ｍｍ以上３ｍｍ以下の距離が保てるまで続くように構成されると共に、もう一方の先端部５には、プローブから照射された光が観察物体表面に届くように貫通孔２が設けられ、且つ、先端部５の断面は補助器具１の中心軸に対して４５°又は９０°の角度を有し、さらに、中心軸と平行に中心軸を含んで補助器具１の半分が先端部５から所定の距離切り落とされる。これにより、プローブと、小動物表面との距離と角度を所定の値に保ち、且つ、測定箇所を正確に特定できる。【選択図】図１
0003218856.tif 000002
【実用新案登録請求の範囲】
【請求項１】
小動物表面の反射測定に用いるプローブ補助器具であり、前記プローブと、小動物表面との距離と角度を所定の値に保ち、且つ、測定箇所を正確に特定できるように構成されていることを特徴とする。
【考案の詳細な説明】
【技術分野】
【０００１】
本考案は、分光器を用いた反射測定において、反射測定用プローブの先端に取り付けることにより、視野幅１ｍｍ程度の狭い範囲で、一定な距離と角度で正確に反射波形測定を可能にするプローブ補助器具に関するものである。
【背景技術】
【０００２】
従来、分光器を用いた物体の反射測定においては、プローブの先端と物体との距離、測定角度を一定にする必要がある。その為には、プローブを補助的な器具で固定するか、プローブの先端に器具を取り付ける必要がある。
【考案の概要】
【考案が解決しようとする課題】
【０００３】
昆虫などの小動物の反射測定においては、幅１ｍｍ程度の狭い範囲を計測する必要があるが、それらを可能にする器具は販売されていなかった。
【課題を解決するための手段】
【０００４】
この考案は、従来になかったプローブの補助器具を提案するもので、前記プローブと、小動物表面との距離と角度を所定の値に保つように、且つ、測定箇所を正確に特定できるように構成されていることを特徴とする。
【考案の効果】
【０００５】
本考案によると、小動物表面の反射測定の際、小動物とプローブとの距離と角度を一定に保ち、測定条件を統一化することができる。さらに、測定箇所を正確に特定できる。
【図面の簡単な説明】
【０００６】
【図１】本考案に係る測定角度４５度を保持できる補助器具を示し、（ａ）は前面図、（ｂ）は側面図、（ｃ）は背面図である。
【図２】本考案に係る測定角度９０度を保持できる補助器具を示し、（ａ）は前面図、（ｂ）は側面図、（ｃ）は背面図である。
【考案を実施するための形態】
【０００７】
以下、本考案の補助器具を図１から図２により説明する。
【実施例】
【０００８】
以下に本考案の各実施例につき添付の図面を参照して説明する。図１の（ａ）は本考案の傾斜角度αが４５°を保持する補助器具Ａの前面図、（ｂ）は側面図、（ｃ）は背面図である。
【０００９】
本図において、補助器具Ａは、プローブから照射される光を観察物体に照射出来るように貫通孔２が設けられている。
【００１０】
次に、プローブの照射口から観察物体へのワーキングディスタンスＴ１を２ｍｍ≦Ｔ１≦３ｍｍの範囲で、反射測定範囲に応じて設定する。
【００１１】
次に、先端部５から傾斜下端部６まで縦割りに切り込みを入れ、図１（ｃ）のように片方をカットする。片方をカットするのは、プローブの光源から出てくる光が貫通孔２を通って計測物表面に当たる箇所を目視でき、測定箇所を正確に特定するためである。
【００１２】
次に、プローブから照射される光と観察物体とが接触する傾斜角度αが４５°になるように先端部５からカットされ傾斜面３を設けている。傾斜角度を４５°にする理由は、観察物体表面にぎらつきが見られる場合に反射測定への影響を減らすためである。Ｔ１が２ｍｍから約３ｍｍの場合は構造上、傾斜面７の箇所において、プローブの先端が補助器具の外部に僅かに露出するため、平坦で硬い観察物体には適用しづらいが、主な観察物体である小動物の体表面は一般に凸面であり、また柔らかな場合もあることから適用範囲は広い。
【００１３】
次に図２の（ａ）は本考案の傾斜角度βが９０°を保持する補助器具Ｂの前面図、（ｂ）は側面図、（ｃ）は背面図である。
【００１４】
本図において、補助器具Ｂは、プローブから照射される光を観察物体に照射出来るように貫通孔２が設けられている。
【００１５】
次に、プローブの照射口から観察物体へのワーキングディスタンスＴ２を２ｍｍ≦Ｔ１≦３ｍｍの範囲で、反射測定範囲に応じて設定する。
【００１６】
次に、先端部５から段差部６まで縦割りに切り込みを入れ、図２（ｃ）のように片方をカットする。片方をカットするのは、プローブの光源から出てくる光が貫通孔２を通って計測物表面に当たる箇所を目視でき、測定箇所を正確に特定するためである。
【００１７】
また、プローブから照射される光と観察物体と接触する傾斜角度βが９０°になるようになっている。
【符号の説明】
【００１８】
１  補助器具Ａ
２  貫通孔
３  観察物体との接触面
４  プローブ挿入口
５  先端部
６  段差部
７  プローブ先端露出部
８  傾斜下端部
９  補助器具Ｂ
α、β  傾斜角度
【図１】
0003218856.tif 000003
【図２】
0003218856.tif 000004
【手続補正書】
【提出日】平成30年9月12日(2018.9.12)
【手続補正１】
【補正対象書類名】実用新案登録請求の範囲
【補正対象項目名】全文
【補正方法】変更
【補正の内容】
【実用新案登録請求の範囲】
【請求項１】
円柱状で一方の先端に、プローブを挿入する穴が設けられており、その穴はもう一方の先端と挿入されたプローブの先端が２ｍｍ以上３ｍｍ以下の距離が保てるまで続くように構成されると共に、
前記もう一方の先端部には、プローブから照射された光が観察物体表面に届くように貫通孔が設けられ、且つ、該先端部の断面は補助器具の中心軸に対して４５°又は９０°の角度を有し、さらに、前記中心軸と平行に中心軸を含んで補助器具の半分が前記先端部から所定の距離切り落とされたプローブ補助器具。
(57)【要約】      （修正有）【課題】加圧力の弱い手足を使う按摩方式に代わり、壁および柱を利用する加圧力のある押し揉み按摩方式で、手の届きにくい肩や背中の按摩が効果的に刺激ができる加圧ステッキ按摩器を提供する。【解決手段】ステッキ形状の先端部分に突起物を有し、先端部分の反対側の一端の後ろ部分には滑り止め加工が施された角度９０度の突起物を設けた加圧ステッキ按摩器であって、中央部分にはステッキを支えるハンド棒が設けられており、先端部分を身体に当て、後ろ部分の突起物を壁または柱における凹み部分に当接することにより、加圧力のある刺激ができる。【選択図】図２
0003218860.tif 000002
【実用新案登録請求の範囲】
【請求項１】
ステッキ形状の先端部分に突起物を有し、一端の後ろ部分には角度９０度の突起物を設け滑り止め加工が施された按摩器であって、中央部分にはステッキを支えるハンド棒が設けられている。
上述のステッキの先端部分を身体に当て、後ろ部分の突起物を壁または柱における凹み部分角度９０度の箇所に当接することによって、加圧力のある刺激ができる特徴の加圧ステッキ按摩器。
【考案の詳細な説明】
【技術分野】
【０００１】本考案は、加圧ステッキ按摩器に関するものである。
【背景技術】
【０００２】従来の按摩器は、自身の按摩を自身の手足を使って刺激する方法の按摩器が一般的であった。この方法では体力を消耗し、加圧力も弱く且心地よさが得られないという欠点があった。
【考案の概要】
【考案が解決しようとする課題】
【０００３】加圧力の弱い手足を使う按摩方式に代わるものとして、壁および柱を利用する加圧力のある押し揉み按摩方式で前述の欠点を解決しようとするものである。
【課題を解決するための手段】
【０００４】壁または柱に本考案の按摩器を按摩する身体に当接し、体全体で押しもみ刺激することで加圧力のある按摩ができる。
【考案の効果】
【０００５】前述の押し揉み按摩方式は、手の届きにくい肩や背中の按摩が効果的に刺激ができる。
【考案を実施するための形態】
【０００６】本考案は、木製および樹脂系素材である。ステッキ形状の先端部分に体を刺激する突起物と一端の後ろ部分には角度９０度の滑り止め加工突起物を施され、中央部分にはステッキを支える３６０度回転のハンド棒が設けられている。
【図面の簡単な説明】
【０００７】
【図１】は、本考案側面図本体
【図２】は、各部位説明
【図３】は、按摩実施図
【符号の説明】
【０００８】▲１▼先端部分突起物
▲２▼後ろ部分角度９０度突起物
▲３▼滑り止め加工
▲４▼３６０度回転ハンド棒
【図１】
0003218860.tif 000003
【図２】
0003218860.tif 000004
【図３】
0003218860.tif 000005
【手続補正書】
【提出日】平成30年8月30日(2018.8.30)
【手続補正１】
【補正対象書類名】実用新案登録請求の範囲
【補正対象項目名】全文
【補正方法】変更
【補正の内容】
【実用新案登録請求の範囲】
【請求項１】
ステッキ形状の先端部分に突起物を有し、当該先端部分の反対側の一端の後ろ部分には角度９０度の突起物を設け、当該突起物には滑り止め加工が施された加圧ステッキ按摩器であって、
中央部分にはステッキを支えるハンド棒が設けられており、前記先端部分を身体に当て、前記後ろ部分の突起物を壁または柱における凹み部分角度９０度の箇所に当接することによって、加圧力のある刺激ができるものであることを特徴とする加圧ステッキ按摩器。
(57)【要約】      （修正有）【課題】和やかな印象を与え周りの人を和ませるとともに、はんこを人目にさらすことなく安全に収納するはんこ立てを提供する。【解決手段】はんこが収納される収納部材１と、はんこを装飾する装飾部材３とを備え、収納部材の上部中央部に長尺状のはんこが挿入される収納孔が形成され、装飾部材は、少なくとも収納孔の開口部周辺に配置されている。装飾部材には、造花やドライフラワーなどの美しい装飾が施されているのが好ましい。【選択図】図１
0003218869.tif 000002
【実用新案登録請求の範囲】
【請求項１】
はんこが収納される収納部材と、はんこを装飾する装飾部材とを備えており、前記収納部材の上部中央部に長尺状のはんこが挿入される収納孔が形成されており、前記装飾部材は、少なくとも前記収納孔の開口部周辺に配置されていることを特徴とする装飾付きはんこ立て。
【考案の詳細な説明】
【技術分野】
【０００１】本考案は造花ドライフラワー等を挿入したはんこ立てである。
【背景技術】
【０００２】今までは単に実用的かつ事務的なはんこ立てであったが装飾を施すことによりその場所を華やかにする効果をもたせることができると考えられる。装飾付きはんこ立てを販売することにより人々を和ませる効果があると考えられる。【０００３】
【考案の概要】
【考案が解決しようとする課題】
【０００４】従来はんこ立ては単にはんこを立てて収納するための無機質な実用品であった。さらに人が頻繁に出入りする玄関周辺にはんこのみを置いておくのは防犯上不用心である。
【課題を解決するための手段】
【０００５】味気なく無機質な印象を与えがちであったはんこ立てに装飾を施すことで与える印象を変えるさらにはんこがどこにあるか分からないようにした。
【考案の効果】
【０００６】装飾を施すことによりその場所を華やかに飾り和ませる効果と共にはんこを防犯上安全に収納できるようになった。
【図面の簡単な説明】
【０００７】
【図１】本考案の装飾付きはんこ立ての実施例を示す正面図である。
【図２】本考案に係る装飾付きはんこ立ての概略的断面図である（装飾部材を省略している）。
【図３】本考案に係る概略的使用説明図である。
【考案を実施するための形態】
【０００８】従来はんこ立ては単に事務的にはんこを立てて収納するための無機質な実用品であった。さらに頻繁に人が出入りする玄関周辺にはんこと一目でわかる状態で置いておくのは防犯上不用心である。
そこではんこ立てに装飾を施すことによりその場所を華やかに飾り和ませる効果と共にはんこがどこにあるかわからないようにすることではんこを安全に収納できるようになった。
本考案ははんこが収納される収納部材１と、はんこ２を装飾する装飾部材３を備えており収納部材１の上部中央部には、長尺状のはんこ２が挿入される収納孔４が形成されており、装飾部材３は少なくとも収納孔４の開口部周辺に配置されていることを特徴とする装飾付きはんこたてである。
【０００９】はんこ２とは、印鑑の他、スタンプを含む概念である。
【００１０】収納部材１としては、容器タイプ、立方体、球体、など特にその形態は限定されない。
図１では容器タイプとして収納部材１を構成しているがこれに限定されるものではない。この収納部材１としては透明ではなく内部が見えない材質で形成されることが好ましい。収納孔４は鉛直方向に向けて伸びる孔として形成することが好ましい。長さは使用するはんこ２と同程度の長さを深さとするのが好ましい。
【００１１】装飾部材３としては、生花、造花、ドライフラワー、プリザーブドフラワー、動物や魚、昆虫などの生き物をあしらった置物、天然石、プラスチック製の装飾物等を、種々のものを使用することが出来る。
【００１２】装飾部材３は少なくとも収納孔４の開口部周辺に配置されることが好ましい。尚、そのほかの場所、例えば収納部材１の下部にも配置してもよい。
【００１３】はんこ２の基端部２１（印判が形成されていない端部）に、装飾部材３と同種の装飾物を取り付け収納時に印鑑などのはんこ２であることがわからなくなるように構成することがより好ましい。
【符号の説明】
【００１４】１  収納部材
２  はんこ
２１  はんこの基端部
３  装飾部材
４  収納孔
【図１】
0003218869.tif 000003
【図２】
0003218869.tif 000004
【図３】
0003218869.tif 000005